(57)【特許請求の範囲】
【請求項１】
２枚の基板間に液晶を挟持した液晶パネルと、前記液晶パネルの背面に設置した照明装置とを有し、前記液晶パネルと前記照明装置を上フレームおよび下フレームにより一体に固定した液晶モジュールであって、
前記上フレームの最外周の側壁に前記液晶パネルの基板面と平行な方向に陥没した底部を有する凹部を設け、前記底部に、前記凹部の陥没方向に実装機器の表示部に固定するためのネジを通すネジ受け開口を形成したことを特徴とする液晶モジュール。
【請求項２】
２枚の基板間に液晶を挟持した液晶パネルと、前記液晶パネルの背面に設置した照明装置とを有し、前記液晶パネルと前記照明装置を上フレームおよび下フレームにより一体に固定した液晶モジュールであって、
前記上フレームの最外周の側壁に前記液晶パネルの基板面と平行な方向に陥没した底部を有する凹部を設け、前記底部に前記凹部の陥没方向に開口を設けると共に、前記開口に対向する前記下フレームに実装機器の表示部に固定するためのネジを通すためのネジ受け開口を設けたことを特徴とする液晶モジュール。
【請求項３】
前記凹部を、前記上フレームのコーナー部に設けたことを特徴とする請求項１または２記載の液晶モジュール。
【請求項４】
前記凹部を、前記上フレームの隣接するコーナー部の間に設けたことを特徴とする請求項１または２記載の液晶モジュール。
【請求項５】
前記凹部を、前記上フレームのコーナー部および前記コーナー部に隣接するコーナー部の間に設けたことを特徴とする請求項１または２記載の液晶モジュール。
【請求項６】
前記下フレームが樹脂材を成形したモールド部材であり、前記ネジ受け開口に対応したネジ穴を前記モールド部材に直接、もしくは前記モールド部材に埋め込んだ金属部材で形成したことを特徴とする請求項３、４、５記載の液晶モジュール。
【請求項７】
２枚の基板間に液晶を挟持した液晶パネルと、前記液晶パネルの背面に設置した照明装置とを有し、前記液晶パネルと前記照明装置を上フレームおよび下フレームにより一体に固定した液晶モジュールであって、
前記下フレームの背面に実装機器の表示に固定するためのネジ受け開口を形成したことを特徴とする液晶モジュール。
【請求項８】
前記下フレームが樹脂材を成形したモールド部材であり、前記ネジ穴を前記モールド部材に直接、もしくは前記モールド部材に埋め込んだ金属部材で形成したことを特徴とする請求項７記載の液晶モジュール。
【請求項９】
前記照明装置が前記液晶パネルの背面に複数本の線状ランプとこの線状ランプの背面に設置した断面が山と谷がなだらかに連続する形状を持つ波形反射板で構成した直下型照明装置であり、前記ネジ穴を前記下フレームの前記波形反射板の山に対応する部分に設けたことを特徴とする請求項７記載の液晶モジュール。
【請求項１０】
前記下フレームが樹脂材を成形したモールド部材であり、前記ネジ受け穴を前記モールド部材に直接、もしくは前記モールド部材に埋め込んだ金属部材で構成したことを特徴とする請求項９記載の液晶モジュール。
【請求項１１】
表示部を構成する筐体に前記請求項１〜１０記載の液晶モジュールを実装するための金属部材で形成したモジュール受け部材を備え、前記モジュール受け部材に前記液晶モジュールに有するネジ受け開口にネジを挿通する開口を有し、前記モジュール受け部材に着座させた前記液晶モジュールを、前記開口と前記ネジ受け開口を挿通したネジにより固定したことを特徴とする液晶モニター。
【請求項１２】
一対の基板間に液晶を挟持した液晶パネル、該液晶パネルを該一対の基板の一方の面側から把持する第１のフレーム、及び該液晶パネルを該一対の基板の他方の面側から把持する第２のフレームを有する液晶モジュールと、前記液晶モジュールを該液晶モジュールの少なくとも前記一対の基板の厚み方向に沿った側面で把持する筐体とを備え、
前記第１のフレームは前記第２のフレームの外側において前記一対の基板の厚み方向及び該一対の基板の縁に夫々沿って延びる側面を有し、前記第１のフレームの側面には前記一対の基板の縁に向けて窪み且つ該一対の基板の縁に沿って延びる窪み部分が設けられ、前記筐体は前記第１フレームの側面に設けられた窪み部分に対向する把持部材が設けられ、前記把持部材から前記第１フレームの側面の窪み部分に向けてネジを通すことにより前記液晶モジュールは前記筐体に固定されていることを特徴とする液晶モニター。
【請求項１３】
前記把持部材と前記第１フレームの側面の窪み部分との間には前記ネジが嵌合させる部材が挿入されていることを特徴とする請求項１２に記載の液晶モニター。
【請求項１４】
前記第２フレームは前記第１フレームの側面の窪み部分に対向し且つ前記一対の基板の厚み方向に延びる側面を有し、該第１フレームの側面の窪み部分及び該第２フレームの側面には前記ネジを受ける開口が形成され、前記開口の少なくとも一方には前記ネジが嵌合させるネジ山が形成されていることを特徴とする請求項１２に記載の液晶モニター。
【請求項１５】
前記第１フレーム及び前記第２フレームのいずれか一方には前記一対の基板の一方又は他方の面の少なくとも中央部を露出する開口が形成されていることを特徴とする請求項１２に記載の液晶モニター。
【請求項１６】
一対の基板間に液晶を挟持した液晶パネル、該液晶パネルを該一対の基板の一方の面側から把持し且つ該一対の基板の厚み及び周縁に夫々に沿って延びる側壁を有する第１のフレーム、及び該第１のフレームの側壁の該液晶パネル側の面に対向する側壁を有し且つ該第１フレームとともに該液晶パネルを把持する第２のフレームを有する液晶モジュールと、
前記第１フレームの側壁の前記液晶パネルとは反対側の面に対向する面を有する部材を有し且つ前記液晶モジュールを前記部材から前記第１フレームの側壁に向けてネジを通して把持する筐体とを備え、
前記第１のフレームの側壁、前記第２のフレームの側壁、及び前記部材には前記ネジを通す開口が設けられ、前記第２フレームの側壁に設けられた開口には前記ネジが嵌合されるネジ山が形成され、前記第２フレームの側壁は少なくとも前記開口が形成される部分において前記第１フレームの前記開口が形成される部分より前記ネジの挿入方向に沿った厚みが厚いことを特徴とする液晶モニター。
【請求項１７】
前記第２フレームの側壁の前記開口が形成される部分は前記第２フレームに挿入されたインサータであることを特徴とする請求項１６に記載の液晶モニター。
【請求項１８】
前記第１フレームには前記一対の基板の一方の面の少なくとも中央部を露出する開口が形成されていることを特徴とする請求項１６に記載の液晶モニター。
【請求項１９】
一対の基板間に液晶を挟持した液晶パネル、該液晶パネルを該一対の基板の一方の面側から把持する第１のフレーム、該液晶パネルに該一対の基板の他方の面側から光を照射する照明装置、及び該液晶パネル及び該照明装置を該一対の基板の他方の面側から把持する第２のフレームを有する液晶モジュールと、前記液晶モジュールを前記第２のフレームの前記照明装置に対向する面で固定する筐体とを備え、
前記筐体は前記第２のフレームの前記照明装置に対向する面の裏面に対向する固定部材を有し、前記固定部材と前記第２のフレームは該固定部材に形成された開口から前記第２のフレームの照明装置に対向する面に形成された開口へネジを通して固定され、前記第２のフレームの前記照明装置に対向する面に設けられた開口には前記ネジが嵌合されるネジ山が形成され且つ該第２のフレームの前記照明装置に対向する面の該開口が形成される部分は他の部分に比べて厚く形成されていることを特徴とする液晶モニター。
【請求項２０】
前記照明装置は前記液晶パネルの前記一対の基板の他方の面側に対向して並設された複数の線状ランプと該複数の線状ランプと前記第２フレームとの間に配置された反射板を有し、
前記反射板には前記複数の線状ランプの間にて前記液晶パネル側へ突き出し且つ前記第２フレーム側に対して凹んだ突出部分が形成され、前記第２フレームの前記照明装置に対向する面に設けられた開口は前記反射板の突出部分による前記凹みに対向して形成されることを特徴とする請求項１９に記載の液晶モニター。
【請求項２１】
前記第１フレームには前記一対の基板の一方の面の少なくとも中央部を露出する開口が形成されていることを特徴とする請求項１９に記載の液晶モニター。
【発明の詳細な説明】
【０００１】
【発明の属する技術分野】
本発明は、液晶パネルとその照明装置を一体化した液晶モジュールと、この液晶モジュールを実装した液晶モニターに関する。
【０００２】
【従来の技術】
ノート型コンピユータやディスプレイモニター用の高精細かつカラー表示が可能な表示装置として液晶表示装置が広く採用されている。液晶表示装置は、二枚の透明基板の間に液晶を挟持した液晶パネルと、この液晶パネルに形成した電子的潜像を可視化するための照明装置、および液晶パネルと照明装置の間に設置した光学補償シート類とから構成される。
【０００３】
そして、これらを一体化してノートパソコンや液晶モニターの表示部に実装する一つの集積部品としたものを、一般に液晶モジュールと称している。
【０００４】
液晶表示装置には、各内面に互いに交差する如く形成された平行電極を形成した一対の基板で液晶層を挟持した液晶パネルを用いた単純マトリクス型液晶パネルを用いたものと、一対の基板の一方に画素単位で選択するためのスイッチング素子を有する液晶パネルを用いたアクティブマトリクス型液晶表示装置とが知られている。
【０００５】
アクティブマトリクス型液晶パネルは、ツイステッドネマチック（ＴＮ）方式に代表されるように、画素選択用の電極群が上下一対の基板のそれぞれに形成した液晶パネルを用いた、所謂縦電界方式（一般に、ＴＮ方式と称する）と、画素選択用の電極群が上下一対の基板の一方のみに形成されている液晶パネルを用いた、所謂横電界方式（一般に、ＩＰＳ方式と称する）とがある。
【０００６】
前者のＴＮ方式の液晶パネルは、一対（第１の基板（下基板）と第２の基板（上基板）からなる２枚）の基板内で液晶が例えば９０°ねじれて配向されており、その液晶パネルの上下基板の外面に吸収軸方向をクロスニコル配置し、かつ入射側の吸収軸をラビング方向に平行または交差させた２枚の偏光板を積層している。
【０００７】
このようなＴＮ方式アクティブマトリクス型液晶パネルは、電圧無印加時で入射光は入射側偏光板で直線偏光となり、この直線偏光は液晶層のねじれに沿って伝播し、出射側偏光板の透過軸が当該直線偏光の方位角と一致している場合は直線偏光は全て出射して白表示となる（所謂、ノーマリオープンモード）。
【０００８】
また、電圧印加時は、液晶層を構成する液晶分子軸の平均的な配向方向を示す単位ベクトルの向き（ダイレクター：Director）は基板面と垂直な方向を向き、入射側直線偏光の方位角は変わらないため出射側偏光板の吸収軸と一致するため黒表示となる。（１９９１年、工業調査会発行「液晶の基礎と応用」参照）。
【０００９】
一方、一対の基板の一方にのみ画素選択用の電極群や電極配線群を形成し、当該基板上で隣接する電極間（画素電極と対向電極の間）に電圧を印加して液晶層を基板面と平行な方向にスイッチングするＩＰＳ方式の液晶パネルでは、電圧無印加時に黒表示となるように偏光板が配置されている（所謂、ノーマリクローズモード）。
【００１０】
ＩＰＳ方式液晶パネルの液晶層は、初期状態で基板面と平行なホモジニアス配向で、かつ基板と平行な平面で液晶層のダイレクターは電圧無印加時で電極配線方向と平行または幾分角度を有し、電圧印加時で液晶層のダイレクターの向きが電圧の印加に伴い電極配線方向と垂直な方向に移行し、液晶層のダイレクター方向が電圧無印加時のダイレクター方向に比べて４５°電極配線方向に傾斜したとき、当該電圧印加時の液晶層は、まるで１／２波長板のように偏光の方位角を９０°回転させ、出射側偏向板の透過軸と偏光の方位角が一致して白表示となる。
【００１１】
このＩＰＳ方式液晶パネルは視野角においても色相やコントラストの変化が少なく、広視野角化が図られるという特徴を有している（特開平５−５０５２４７号公報参照）。
【００１２】
上記した各種の液晶パネルを用いた液晶表示装置のフルカラー化ではカラーフィルタ方式が主流である。これは、カラー表示の１ドットに相当する画素を３分割し、それぞれの単位画素に３原色、例えば赤（Ｒ）、緑（Ｇ）、青（Ｂ）の各々に相当するカラーフィルタを配置することにより実現するものである。
【００１３】
特に、近年の液晶表示装置は、画面の大型化、高精細化が進み、それに伴って実装部品としての液晶モジュールの重量も重くなっている。また、液晶モジュールの外形に関しては、このような液晶モジュールをノートパソコンあるいは液晶モニターに実装する場合に当該モニターの額縁を狭くする、所謂狭額縁化の要求が強くなっている。これは、ノートパソコンや液晶モニターの外形寸法を可能な限り小さくしたいという要望に起因している。なお、以下では、ノートパソコンや液晶モニターを液晶モニター等とも称する。
【００１４】
外形寸法が小さいということは、言い換えれば省スペース化に優れていると言え、デザイン上でも液晶モニター等の額縁が小さい方が画面が大きく感じられる。
【００１５】
【発明が解決しようとする課題】
狭額縁化を実現する上での設計上の１つの課題は、液晶モジュールをどのようにしてパソコンの表示部や液晶モニター等の表示部（実装部）に固定するかである。
【００１６】
図２４は従来の液晶モニター等における液晶モジュールの固定手段の概略説明図であり、（ａ）は正面図、（ｂ）は（ａ）の側面図、（ｃ）は（ａ）のコーナー部の拡大図である。
【００１７】
この液晶モジュールＭＤＬには、シールド機能を持たせるために金属材を成形した上側ケースとなる上フレームＳＨＤと下側ケースとなる下フレーム（ここでは、モールドＭＣＡ）とで液晶パネルＰＮＬおよび照明装置（バックライト）を固定してある。このバックライトは透明板からなる導光板の端縁に線状ランプを設置したサイドエッジ形と称するものであり、図２４の（ｃ）には導光板ＧＬＢのみ示す。
【００１８】
なお、下フレームは図２４に示したような樹脂材の成形部品であるモールドＭＣＡを用いたものに限らず、モールドに照明装置等の構成部品保持部材としての機能を付与した中間フレームとし、その背面に金属板を設けたものも知られている。以下では、液晶モジュールの最下面にあるものを下フレームと称するが、上記金属板については、これを背面フレームと称することもある。
【００１９】
額縁を構成する上フレームＳＨＤの正面側に、当該正面側から垂直方向に陥没した凹部ＡＬＣを形成し、この凹部ＡＬＣの底面にマウンティングホール（ネジ受け開口）ＨＬＤを設け、このネジ受け開口ＨＬＤを通して固定用のネジＳＣＲをモニター等の筐体に形成したネジ受けＢＯＳにネジ込んで固定している。なお、図２４に示したモールドＭＣＡは成形した下フレームを構成する樹脂材であるが、この下フレームを上フレームと同様の金属材としたものであっても同様の構造で固定される。
【００２０】
しかし、このような固定構造を採用した場合、上フレームＳＨＤの額縁の幅Ｗの縮小には限度があり、また当該ネジ受け開口ＨＬＤの周辺に強度アップのための絞り加工などを施す必要があるため、結果的に液晶モジュールの狭額縁化の達成は難しい。
【００２１】
また、従来の固定構造の他の例として、液晶モジュールの側面にネジ受け開口を設け、液晶モニター等の筐体側からネジ止めするようにしたものもある。この固定構造では、液晶モニター等の筐体側に固定用のボス(Boss or Nave ：ネジ外周を覆う部材）などを配置する必要があるために、当該液晶モニター等の筐体の外形寸法が大きくなってしまい、液晶モニター等の筐体の外形寸法を可能な限り小さくしたいという要望を満たすことが難しい。
【００２２】
このように、従来の液晶モニター等の筐体への液晶モジュールの固定構造では、ネジ穴やその周辺の機械的強度を確保するためには額縁の幅をある程度広くする必要があり、要求される狭額縁化、モニター等の筐体の外形寸法の縮小を達成することは困難である。
【００２３】
本発明の目的は、上記従来技術の課題を解消し、液晶モジュールの狭額縁化と液晶モニター等の筐体の外形寸法の縮小化を達成できる当該液晶モニター等への液晶モジュールの新規な固定構造を備えた液晶モニターおよびこの液晶モジュールを実装した液晶モニターを提供することにある。
【００２４】
【課題を解決するための手段】
上記目的を達成するため、本発明は、液晶モジュールの最外周部の側面に凹部を形成し、この凹部に側面固定用のネジ受け開口を設けた。
【００２５】
ネジ受け開口を液晶モジュールの側壁に設けたことで液晶モジュールの額縁の縮小が可能となる。液晶モジュールを液晶モニター等の表示部に実装する際、上記凹部に対応する液晶モニターの筐体に固定用のボスを配置することで液晶モニター等の外形寸法の拡大を抑制できる。
【００２６】
このボスを液晶モジュールの凹部に挿入して実装部側（ボス側）からネジ止めする。これにより、液晶モニターの外形寸法を拡大する必要がなくなる。このとき、液晶モジュールのモールドにネジ穴を形成することで、従来と同様のサイドマウント方式による固定が可能となる。
【００２７】
また、上記ボスは液晶モニター等の実装部に予め一体成形しておくことにより、追加部品を必要とせず、組立て作業も容易となる。さらに、液晶モジュールの製品構造では最も大きいモールドにネジ穴を形成することで、外部からの振動や衝撃を吸収しやすい。
【００２８】
上記のネジ穴を直接モールドに開けてもよいが、好ましくはモールドに金属製のネジ受け部材（所謂、インサータ(insert ：入れ子））を予め埋め込んでおくことで、固定強度を向上でき、外部からの振動や衝撃に対しても強固に固定を維持できる。
【００２９】
本発明では、サイドマウント方式に限らず、液晶モジュールの背面で液晶モニター等の実装部に固定することもできる。この場合、液晶モジュールのモールドの背面にネジ穴を設ける。この場合も、上記と同様にモールドに直接ネジ穴を形成するか、インサータを埋設する。
【００３０】
これにより、液晶モジュールの側壁にネジ受け開口などを形成する必要がないため、狭額縁化が容易であり、液晶モニター等の外形寸法の縮小も可能となる。
【００３１】
直下型照明装置（直下型バックライト）を用いた液晶モジュールの場合は、当該バックライトを構成する波形反射板の山に対応する部分にネジ穴を設けることで、液晶モジュールの厚みを拡大することなく液晶モニター等の実装部に液晶モジュールを固定することができる。
【００３２】
上述のように液晶モジュールを構成することで、以下のような液晶モニター（コンピュータ端末用に限らず、テレビジョン・セット等への適用も含めて）が実現できる。
【００３３】
その一例は、次のように構成される。
【００３４】
一対の基板間に液晶を挟持した液晶パネルをこの一対の基板の一方の面側から第１のフレームで把持し且つこの一対の基板の他方の面側から第２のフレームで夫々把持した液晶モジュールとを備えた液晶モニターにおいて、前記第１のフレームに前記第２のフレームの外側（外周）で前記一対の基板の厚み方向及びこの一対の基板の縁に夫々沿って延びる側面を設け、さらに前記第１のフレームの側面には前記一対の基板の縁に向けて窪み（陥没し）且つこの一対の基板の縁に沿って延びる窪み部分（陥没面）を設ける。一方、前記液晶モジュールの少なくとも前記一対の基板の厚み方向（基板面に交差する方向）に沿った側面で把持する筐体に前記第１フレームの側面の窪み部分に対向する把持部材を設ける。これらの液晶モジュールと筐体とを、前記把持部材から前記第１フレームの側面の窪み部分に向けてネジを通して固定することにより、本発明による液晶モニターは組み立てられる。
【００３５】
別の一例は、次のように構成される。
【００３６】
一対の基板間に液晶を挟持した液晶パネルと、前記一対の基板の一方の面側から把持し且つこの一対の基板の厚み及び周縁に夫々に沿って延びる側壁を有する第１のフレームと、前記第１のフレームの側壁の前記液晶パネル側の面に対向する側壁を有し且つこの第１フレームとともに前記液晶パネルを把持する第２のフレームとを有する液晶モジュールにおいて、前記第１のフレームの側壁と前記第２のフレームの側壁とにネジを通す開口を形成する。このように構成された液晶モジュールを、前記第１フレームの側壁の前記液晶パネルとは反対側の面に対向する面を有し且つ前記ネジを通す開口が設けられた部材を備えた筐体に、前記部材から前記第１フレームの側壁に向けてネジを通して把持して液晶モニターを構成する。この液晶モニターにおいて、前記液晶パネルの前記第２フレームの側壁に設けられた開口には前記ネジが嵌合されるネジ山を形成し、前記第２フレームの側壁の少なくとも前記開口が形成される部分を前記第１フレームの前記開口が形成される部分より前記ネジの挿入方向に沿って厚くする。
【００３７】
さらに別の一例は、次のように構成される。
【００３８】
一対の基板間に液晶を挟持した液晶パネルをこの一対の基板の一方の面側から第１のフレームで把持し、この液晶パネルに前記一対の基板の他方の面側から光を照射する照明装置を設け、これらの液晶パネル及び照明装置を前記一対の基板の他方の面側から第２のフレームで把持して液晶モジュールを構成する。この液晶モジュールを、前記第２のフレームの前記照明装置に対向する面で筐体に固定して液晶モニターを構成する。この液晶モニターにおいて、前記筐体には前記第２のフレームの前記照明装置に対向する面の裏面に対向する固定部材を設け、前記固定部材と前記第２のフレームとをこの固定部材に形成された開口から前記第２のフレームの照明装置に対向する面に形成された開口へネジを通して固定する。このとき、前記第２のフレームの前記照明装置に対向する面に設けられた開口には前記ネジが嵌合されるネジ山を形成し且つこの第２のフレームの前記照明装置に対向する面の前記開口が形成される部分を他の部分に比べて厚くする。
【００３９】
前記照明装置が前記液晶パネルの前記一対の基板の他方の面側に対向して並設された複数の線状ランプ（蛍光管や冷陰極管等）とこれらの複数の線状ランプと前記第２フレームとの間に配置された反射板を有し、前記反射板が前記複数の線状ランプの間にて前記液晶パネル側へ突き出すように折り曲げられている場合、前記第２フレームの前記照明装置に対向する面に設けられた開口は、この反射板の折り曲げ部分に対応して現れた前記第２フレーム側の凹みに対向して形成される。
【００４０】
本発明は、上記の構成に限るものではなく、本発明の技術思想を逸脱することなく、種々の変形が可能である。本発明の他の目的および構成は後述する実施例の説明から明らかになるであろう。
【００４１】
【発明の実施の形態】
以下、本発明の実施の形態につき、実施例の図面を参照して詳細に説明する。
【００４２】
図１は本発明による液晶モジュールの第１実施例の説明図であり、（ａ）は正面図、（ｂ）は（ａ）の側面図、（ｃ）は（ａ）のコーナー部の拡大図である。図中、ＰＮＬは液晶パネルであり、この液晶パネルは照明装置（同図の（ｃ）では導光板ＧＬＢのみを示す）および図示しない光学補償シート等と共に上フレームＳＨＤと下フレームであるモールドＭＣＡとで一体化され、一つの部品として製品化されている。
【００４３】
本実施例は、液晶モジュールＭＤＬを構成する上フレームＳＨＤの最外周の４つのコーナー部側壁に液晶パネルＰＮＬの基板面と平行かつ画面の横方向に向けて陥没した底部を有する凹部ＡＬＣを形成し、その底部に凹部ＡＬＣの陥没方向にネジ受け開口ＨＬＤを形成したものである。
【００４４】
ネジ受け開口ＨＬＤの裏側には下フレームとなるモールドＭＣＡがあり、このモールドＭＣＡの上記ネジ受け開口ＨＬＤと対向する部分にネジ穴（図示せず）を形成してある。
【００４５】
液晶モジュールＭＤＬの液晶モニター等の表示部ＣＡＳに実装する際は、当該表示部に設けたボスＢＯＳ側からネジＳＣＲを液晶モジュールＭＤＬのネジ受け開口ＨＬＤに挿通し、モールドＭＣＡのネジ穴にねじ込んで固定する。
【００４６】
本実施例により、液晶モジュールＭＤＬの額縁の縮小が可能となる。また、上記凹部ＡＬＣに対応する液晶モニターの実装部（筐体）ＣＡＳ側に固定用のボスＢＯＳを配置することで液晶モニター等の外形寸法の拡大を抑制できる。
【００４７】
液晶モジュールＭＤＬの凹部ＡＬＣの陥没量を例えば５ｍｍとしたとき、液晶モニター等の実装部ＣＡＳ側に液晶モジュール方向の突出長さが５ｍｍのボスＢＯＳを形成する。このボスＢＯＳを液晶モジュールの凹部ＡＬＣに挿入して実装部側（ボス側）からネジＳＣＲでネジ止めする。
【００４８】
これにより、液晶モニターの外形寸法を拡大する必要がなくなる。液晶モジュールＭＤＬのモールドＭＣＡにネジ穴を形成することで、従来と同様のサイドマウント方式による固定が可能となる。
【００４９】
また、上記ボスＢＯＳは液晶モニター等の実装部に予め一体成形しておくことにより、追加部品を必要とせず、組立て作業も容易となる。さらに、液晶モジュールＭＤＬの製品構造では最も大きいモールドＭＣＡにネジ穴を形成することで、外部からの振動や衝撃を吸収しやすい。
【００５０】
図２は本発明による液晶モジュールの第２実施例の説明図であり、（ａ）は正面図、（ｂ）は（ａ）の側面図、（ｃ）は（ａ）のコーナー部の拡大図である。図中、図１と同一符号は同一機能部分に相当する。
【００５１】
本実施例は、液晶モジュールＭＤＬを構成する上フレームＳＨＤの最外周の４つのコーナー部側壁に液晶パネルＰＮＬの基板面と平行かつ画面の縦方向に向けて陥没した底部を有する凹部ＡＬＣを形成し、その底部に凹部ＡＬＣの陥没方向にネジ受け開口ＨＬＤを形成したものである。
【００５２】
ネジ受け開口ＨＬＤの裏側には下フレームとなるモールドＭＣＡがあり、このモールドＭＣＡの上記ネジ受け開口ＨＬＤと対向する部分にネジ穴ＮＡＴを形成してある。
【００５３】
液晶モジュールＭＤＬの液晶モニター等の表示部への実装を図１（ｃ）を参照して説明する。ただし、凹部の陥没方向が９０度異なるので、図１に示した表示部のボスＢＯＳは液晶モジュールの上下辺側に形成されている。このボスＢＯＳ側からネジＳＣＲを液晶モジュールＭＤＬのネジ受け開口ＨＬＤに挿通し、モールドＭＣＡのネジ穴ＮＡＴにねじ込んで固定する。
【００５４】
本実施例により、液晶モジュールＭＤＬの額縁の縮小が可能となる。また、上記凹部ＡＬＣに対応する液晶モニターの実装部（筐体）ＣＡＳ側に固定用のボスＢＯＳを配置することで液晶モニター等の外形寸法の拡大を抑制できる。
【００５５】
図１の実施例と同様に、液晶モジュールＭＤＬの凹部ＡＬＣの陥没量を例えば５ｍｍとしたとき、液晶モニター等の実装部ＣＡＳ側に液晶モジュール方向の突出長さが５ｍｍのボスＢＯＳを形成する。このボスＢＯＳを液晶モジュールの凹部ＡＬＣに挿入して実装部側（ボス側）からネジＳＣＲでネジ止めする。
【００５６】
これにより、液晶モニターの外形寸法を拡大する必要がなくなる。液晶モジュールＭＤＬのモールドＭＣＡにネジ穴ＮＡＴを形成することで、従来と同様のサイドマウント方式による固定が可能となる。
【００５７】
また、上記ボスＢＯＳは液晶モニター等の実装部に予め一体成形しておくことにより、追加部品を必要とせず、組立て作業も容易となる。さらに、液晶モジュールＭＤＬの製品構造では最も大きいモールドＭＣＡにネジ穴を形成することで、外部からの振動や衝撃を吸収しやすい。
【００５８】
図３は本発明による液晶モジュールの第３実施例の説明図であり、（ａ）は正面図、（ｂ）は（ａ）の側面図、（ｃ）は（ａ）の側壁の要部拡大図である。図中、図１、図２と同一符号は同一機能部分に相当する。
【００５９】
本実施例は、液晶モジュールＭＤＬを構成する上フレームＳＨＤの最外周の左右側の２辺の側壁に液晶パネルＰＮＬの基板面と平行かつ画面の横方向に向けて陥没した底部を有する凹部ＡＬＣを形成し、その底部に凹部ＡＬＣの陥没方向にネジ受け開口ＨＬＤを形成したものである。
【００６０】
ネジ受け開口ＨＬＤの裏側には下フレームとなるモールドＭＣＡがあり、このモールドＭＣＡの上記ネジ受け開口ＨＬＤと対向する部分にネジ穴ＮＡＴを形成してある。
【００６１】
液晶モジュールＭＤＬの液晶モニター等の表示部への実装は、図１と同様なボスを実装部に形成しておき、このボス側からネジＳＣＲを液晶モジュールＭＤＬのネジ受け開口ＨＬＤに挿通し、モールドＭＣＡのネジ穴ＮＡＴにねじ込んで固定する。
【００６２】
本実施例によっても、液晶モジュールＭＤＬの額縁の縮小が可能となる。また、上記凹部ＡＬＣに対応する液晶モニターの実装部（筐体）側に固定用のボスを配置することで液晶モニター等の外形寸法の拡大を抑制できる。
【００６３】
図１、図２の実施例と同様に、液晶モジュールＭＤＬの凹部ＡＬＣの陥没量を例えば５ｍｍとしたとき、液晶モニター等の実装部側に液晶モジュール方向の突出長さが５ｍｍのボスを形成する。このボスを液晶モジュールＭＤＬの凹部ＡＬＣに挿入して実装部側（ボス側）からネジＳＣＲでネジ止めする。
【００６４】
これにより、液晶モニターの外形寸法を拡大する必要がなくなる。液晶モジュールＭＤＬのモールドＭＣＡにネジ穴ＮＡＴを形成することで、従来と同様のサイドマウント方式による固定が可能となる。
【００６５】
また、上記ボスは液晶モニター等の実装部に予め一体成形しておくことにより、追加部品を必要とせず、組立て作業も容易となる。さらに、液晶モジュールＭＤＬの製品構造では最も大きいモールドＭＣＡにネジ穴を形成することで、外部からの振動や衝撃を吸収しやすい。
【００６６】
図４は本発明による液晶モジュールの第４実施例の説明図であり、（ａ）は正面図、（ｂ）は（ａ）の側面図である。図中、図３と同一符号は同一機能部分に相当する。
【００６７】
本実施例は、液晶モジュールＭＤＬを構成する上フレームＳＨＤの最外周の上下両側の２辺の側壁に液晶パネルＰＮＬの基板面と平行かつ画面の縦方向に向けて陥没した底部を有する凹部ＡＬＣを形成し、その底部に凹部ＡＬＣの陥没方向にネジ受け開口ＨＬＤを形成したものである。
【００６８】
ネジ受け開口ＨＬＤの裏側には下フレームとなるモールドＭＣＡがあり、このモールドＭＣＡの上記ネジ受け開口ＨＬＤと対向する部分にネジ穴ＮＡＴを形成してある。
【００６９】
液晶モジュールＭＤＬの液晶モニター等の表示部への実装は、図１と同様なボスを実装部に形成しておき、このボス側からネジＳＣＲを液晶モジュールＭＤＬのネジ受け開口ＨＬＤに挿通し、モールドＭＣＡのネジ穴ＮＡＴにねじ込んで固定する。
【００７０】
本実施例によっても、液晶モジュールＭＤＬの額縁の縮小が可能となる。また、上記凹部ＡＬＣに対応する液晶モニターの実装部（筐体）側に固定用のボスを配置することで液晶モニター等の外形寸法の拡大を抑制できる。
【００７１】
図１、図２、図３の実施例と同様に、液晶モジュールＭＤＬの凹部ＡＬＣの陥没量を例えば５ｍｍとしたとき、液晶モニター等の実装部側に液晶モジュール方向の突出長さが５ｍｍのボスを形成する。このボスを液晶モジュールの凹部ＡＬＣに挿入して実装部側（ボス側）からネジＳＣＲでネジ止めする。
【００７２】
これにより、液晶モニターの外形寸法を拡大する必要がなくなる。液晶モジュールＭＤＬのモールドＭＣＡにネジ穴ＮＡＴを形成することで、従来と同様のサイドマウント方式による固定が可能となる。
【００７３】
また、上記ボスは液晶モニター等の実装部に予め一体成形しておくことにより、追加部品を必要とせず、組立て作業も容易となる。さらに、液晶モジュールＭＤＬの製品構造では最も大きいモールドＭＣＡにネジ穴を形成することで、外部からの振動や衝撃を吸収しやすい。
【００７４】
図５は本発明による液晶モジュールの第５実施例の説明図であり、（ａ）は正面図、（ｂ）は（ａ）の左側面図、（ｃ）は（ａ）の右側面図である。図中、図１、図３と同一符号は同一機能部分に相当する。
【００７５】
本実施例は、液晶モジュールＭＤＬを構成する上フレームＳＨＤの最外周の左側側面に図１と同様の凹部ＡＬＣを形成し、右側側面に図３と同様の凹部ＡＬＣを形成した、その各底部に凹部ＡＬＣの陥没方向にネジ受け開口ＨＬＤを形成したものである。
【００７６】
ネジ受け開口ＨＬＤの裏側には前記各実施例と同様に、下フレームとなるモールドＭＣＡがあり、このモールドＭＣＡの上記ネジ受け開口ＨＬＤと対向する部分にネジ穴を形成してある。
【００７７】
液晶モジュールＭＤＬの液晶モニター等の表示部への実装は、図１あるいは図３と同様なボスを実装部に形成しておき、このボス側からネジＳＣＲを液晶モジュールＭＤＬのネジ受け開口ＨＬＤに挿通し、モールドＭＣＡのネジ穴にねじ込んで固定する。
【００７８】
本実施例によっても、液晶モジュールＭＤＬの額縁の縮小が可能となる。また、上記凹部ＡＬＣに対応する液晶モニターの実装部（筐体）側に固定用のボスを配置することで液晶モニター等の外形寸法の拡大を抑制できる。
【００７９】
図１〜図４の実施例と同様に、液晶モジュールＭＤＬの凹部ＡＬＣの陥没量を例えば５ｍｍとしたとき、液晶モニター等の実装部側に液晶モジュール方向の突出長さが５ｍｍのボスを形成する。このボスを液晶モジュールの凹部ＡＬＣに挿入して実装部側（ボス側）からネジＳＣＲでネジ止めする。
【００８０】
これにより、液晶モニターの外形寸法を拡大する必要がなくなる。液晶モジュールＭＤＬのモールドＭＣＡにネジ穴を形成することで、従来と同様のサイドマウント方式による固定が可能となる。
【００８１】
また、上記ボスは液晶モニター等の実装部に予め一体成形しておくことにより、追加部品を必要とせず、組立て作業も容易となる。さらに、液晶モジュールＭＤＬの製品構造では最も大きいモールドＭＣＡにネジ穴を形成することで、外部からの振動や衝撃を吸収しやすい。
【００８２】
図６は図５に示した実施例の液晶モジュールを構成する液晶パネルとその駆動回路を実装したプリント基板部分の構成例を説明する模式平面図である。ドレインドライバは液晶パネルの上下の辺に、ゲートドライバは左右の何れかの辺に設けられるが、ここでは液晶パネルＰＮＬの左側の辺にゲートドライバＧＤを搭載したプリント基板ＦＰＣ１を、上側の辺にドレインドライバＤＤを搭載したプリント基板ＦＰＣ２を設置してある。図中、上フレームＳＨＤは外形線で示してある。
【００８３】
図５の実施例における液晶モジュールＭＤＬを構成する液晶パネルＰＮＬでは、プリント基板を配置した辺が当該プリント基板が妨げとなって上フレームＳＨＤにネジ受け開口ＡＬＣを設けることが困難である。そのため、ゲートドライバのプリント基板ＦＰＣ１が設置される左側では、上フレームの上下両コーナー部にネジ受け開口ＡＬＣを設け、右側の辺では上下のコーナーから内側に寄った部分にネジ受け開口ＡＬＣを設けた。
【００８４】
これと共に、ゲートドライバのプリント基板ＦＰＣ１の端部を後退させてコーナー部にスペースを確保している。
【００８５】
この構造では、上フレームＳＨＤの額縁はプリント基板ＦＰＣ１とプリント基板ＦＰＣ２の幅のみで制約されることになり、狭額縁化が容易となる。
【００８６】
以上の各実施例では、ネジ受け開口を４個としてあるが、これに限るものではなく、少なくとも２個のネジ受け開口を形成することで液晶モニター等の表示部への実装が可能である。したがって、プリント基板のネジ受け開口を形成する箇所のみを削除したり、後退させることで狭額縁の液晶モジュールＭＤＬを構成し、かつ外形寸法の小さく維持した液晶モニター等を得ることができる。
【００８７】
図７は本発明による４つのコーナー部に取付け用の凹部を形成した液晶モジュールを液晶モニターに組み込んだ状態を示す正面図およびモジュール受け部材の要部斜視図であり、同図（ａ）は全面カバーを取り外して実装状態を示したものである。図中、ＣＡＳは液晶モニターの表示部を構成するケースである。なお、ＯＳＤＢはオンスクリーンディスプレイ（輝度、コントラスト、色度調整などの操作）を行うための調整回路を搭載した基板である。
【００８８】
表示部を構成するケースＣＡＳの中には図７の（ｂ）に示したような金属板で成形したモジュール受け部材ＭＣが設置してある。このモジュール受け部材ＭＣは上下の辺および左右の一部を曲げて立ち上げてあり、その左右端には固定用のネジを挿通するネジ開口ＨＬＤＭがそれぞれ形成されている。液晶モジュールＭＤＬは前記図１で説明した実施例の構成を持ったものを用いている。
【００８９】
液晶モジュールＭＤＬは、そのコーナー部に形成した凹部ＡＬＣにボスＢＯＳを位置させ、モジュール受け部材ＭＣのネジ開口ＨＬＤＭを通してネジＳＣＲを上記凹部ＡＬＣに挿入し、そのネジ受け開口からモールドに形成したネジ穴にネジ込んで固定する。
【００９０】
この構成により、液晶モニターの外形寸法を大きくすることなく、狭額縁の液晶モジュールを実装できるため、感覚的に大きな画面サイズを有し且つ省スペースに適した液晶モニターが実現できる。
【００９１】
なお、図７ではボスを個別部材としてあるが、モジュール受け部材ＭＣを枠状とし、ボスＢＯＳをケースＣＡＳのモールド成形時に一体的に形成することもできる。
【００９２】
図８は本発明による一方の辺で隣接する２つのコーナー部とこの辺と対向する辺の隣接するコーナー部の間に取付け用の凹部を設けた液晶モジュールを液晶モニターに組み込んだ状態を示す正面図である。なお、ＯＳＤＢはオンスクリーンディスプレイ（輝度、コントラスト、色度調整などの操作）を行うための調整回路を搭載した基板である。
【００９３】
液晶モジュールＭＤＬは液晶モニターの表示部を構成するケースＣＡＳ内にお盆状のモジュール受け部材ＭＣに収納した状態で収納される。液晶モジュールＭＤＬの一方の辺（図の左側の辺）で隣接する２つのコーナー部に凹部ＡＬＣを有し、この辺と対向する辺（図の右側の辺）の隣接するコーナー部の間に２つの取付け用の凹部ＡＬＣを設けている。
【００９４】
図９は図８に示した液晶モニターの表示部の構造を説明する模式断面図である。図８と同一符号は同一部分に対応する。液晶モジュールＭＤＬはお盆状のモジュール受け部材ＭＣに収納した状態で液晶モニターの表示部を構成するケースＣＡＳ内に取付けされる。
【００９５】
なお、液晶モジュールＭＤＬの背面にはインターフェース基板Ｉ／Ｆと電源回路基板ＰＷＵを搭載した電源基板が収容されている。
【００９６】
上記した液晶モジュールの取付けはモジュール受け部材ＭＣのサイドから液晶モジュールを固定するものであるが、後述する図１４〜図１６で説明する液晶モジュールを用いてモジュール受け部材ＭＣの底面から液晶モジュールの背面にネジ止めする構造とすることもできる。
【００９７】
このとき、液晶モジュールの背面にインターフェース基板や電源基板等を取付けた状態でモジュール受け部材ＭＣの底面を貫通するネジを用いて液晶モジュールをねじ止めする。また、モジュール受け部材ＭＣに形成するネジ穴の当該ネジ頭側を彫り込んでネジ頭がモジュール受け部材ＭＣの底面から突出しないようにすることで、液晶モニターの厚みの増大を抑制することができる。
【００９８】
さらに、上記モジュール受け部材ＭＣの底面に大きめの開口を形成したり（当該底面の中央領域などのネジ穴を避けた部分を除去する）、あるいは当該底面に外側または内側に向けて凹みを形成し、ここにインターフェース基板や電源基板等を取付けることによっても、液晶モニターの厚みの増大を抑制することができる。
【００９９】
上記図７および図８〜図９に示した液晶モニターは、その表示装置を構成するケースＣＡＳ内に液晶モジュールＭＤＬを取り付ける構造が当該ケースＣＡＳの幅を拡大するものでないため、液晶モニター自体の外形寸法を大きくする必要がない。したがって、視覚的に液晶表示画面が大きく感じられる液晶モニターを提供できる。
【０１００】
次に、液晶モジュールのモールドに形成するネジ穴の具体的な構成例について図１０〜図１６を参照して説明する。
【０１０１】
図１０は本発明による液晶モジュールに備える実装機器との固定用のネジ穴の第１例を説明する要部断面図であり、液晶パネルの長辺に設けたドレインドライバ側のプリント基板ＦＰＣ２と照明光源を構成する導光板ＧＬＢ部分を示す。この構成例は、液晶モジュールを構成する下フレームであるモールドＭＣＡの立ち上がり部（周縁壁）に直接加工を施してネジ穴ＮＡＴを形成したものである。
【０１０２】
液晶モニター等に液晶モジュールを組み込んだ後の液晶モニターに加えられる振動や衝撃はネジを介して液晶モジュールに伝わるが、ネジがモールドに形成されているために上記の振動や衝撃は直接モールドに加わる。モールドは液晶モジュールの全体にわたって形成されているため、特定の部分に振動や衝撃が集中することを防止でき、液晶モジュールの動作に影響を与えることがない。
【０１０３】
図１１は本発明による液晶モジュールに備える実装機器との固定用のネジ穴の第２例を説明する要部断面図で、図１０と同様の部分を示す。この構成例では、液晶モジュールを構成する下フレームであるモールドＭＣＡの立ち上がり部（周縁壁）にネジ穴ＮＡＴとして金属製の部材（インサータ）を埋設したものである。このインサータはモールドの成形時に埋設できるため、組立て作業は図１０と同様で、かつその効果も図１０の構成によるものと同様である。
【０１０４】
図１２は本発明による液晶モジュールに備える実装機器との固定用のネジ穴の第３例を説明する要部断面図であり、図１０と同様の部分を示す。この構成例は、液晶モジュールを構成する下フレームであるモールドＭＣＡの立ち上がり部（周縁壁）にネジ穴ＮＡＴとして金属製の部材（インサータ）を埋設した点は図１１と同様であるが、このインサータを埋設するモールドの厚みを当該インサータの長さと同じ程度としてある。この構成としたことで、図１０よりもさらに強固な固定ができ、組立て作業および効果も図１０の構成によるものと同様である。
【０１０５】
図１３は本発明による液晶モジュールに備える実装機器との固定用のネジ穴の第４例を説明する要部断面図であって、やはり図１０と同様の部分を示す。
【０１０６】
この液晶モジュールは中間モールドＭＭＣを備え、前記の下フレームを構成するモールドＭＣＡの背面にさらに金属板の背面フレームＢＰを有している。そして、中間モールドＭＭＣにインサータＮＡＴを埋設したものである。このインサータＮＡＴは中間モールドＭＭＣの成形時に埋設できるため、組立て作業は容易で、その効果も前記各実施例によるものと同様である。
【０１０７】
なお、図１０におけるモールドＭＣＡと同様に図１３の中間モールドＭＭＣの厚みをインサータと同程度に厚くすることでさらに強固な固定ができる。
【０１０８】
図１４は本発明による液晶モジュールの第６実施例を説明する要部断面図である。本実施例はノート型パソコンに表示部に実装する液晶モジュールにも適用できるが、どちらかと言えば画面サイズが大きい液晶モニターに適している。
【０１０９】
液晶パネルＰＮＬは二枚のガラス基板ＳＵＢ１とＳＵＢ２の間に液晶を挟持し、その表裏に偏光板ＰＯＬ１、ＰＯＬ２を積層してなり、この液晶パネルＰＮＬの背面に導光板ＧＬＢとＣＦＬで構成した照明装置（バックライト）を備え、中間モールドＭＭＣで照明装置と共に保持し、上フレームＳＨＤと金属板の背面フレームＢＰで一体化したものである。
【０１１０】
液晶モニターの表示部への実装手段は、背面フレームＢＰの裏面に設けたネジ穴ＮＡＴに当該液晶モニター側からネジＳＣＲをねじ込んで行う。
【０１１１】
図１５は図１４に示した液晶モジュールの裏面の構成例を説明する模式平面図である。ネジ穴ＮＡＴは背面フレームＢＰの４ヵ所に配置されている。また、この種の液晶モジュールは、その厚み方向の寸法に余裕があるため、背面フレームＢＰの裏面またはその内側には図示したように、液晶パネルＰＮＬのインターフェース基板Ｉ／Ｆ、あるいは電源回路ＰＷＵを搭載した電源基板、またはインターフェース回路と電源回路を搭載したインターフェース・電源基板Ｉ／Ｆ・ＰＷＵを取付けることもできる。図中、ＬＰＣは照明装置に給電するための電源ラインを示す。
【０１１２】
本実施例のネジ穴ＮＡＴは、背面フレームに直接形成したものとして示してあるが、これに替えて所謂ナットを溶接あるいはかしめて取付けてもよい。
【０１１３】
このように、本実施例の構成によれば、液晶モジュールの狭額縁化を妨げる取付け構造を当該モジュールの外周縁に設ける必要がないため、液晶モニターの外形寸法が拡大されることがなく、かつ液晶モジュール自体の狭額縁化を達成することが容易であることから、視覚的にも大画面サイズ化を実現することができる。
【０１１４】
図１６は本発明による液晶モジュールの第７実施例を説明する要部断面図である。本実施例は直下型の照明装置を有する液晶モニターに実装する液晶モジュールである。図中、ＳＣＴは拡散板、ＤＲはドレインあるいはゲートドライバ（半導体集積回路）、ＦＰＣはドレイン側あるいはゲート側プリント基板、ＣＦＬは線状ランプ（冷陰極蛍光管）、ＲＦＰは反射板を示す。
【０１１５】
液晶パネルＰＮＬは図１４と同様であり、その背面に複数の線状ランプＣＦＬを配列し、その下に断面が山と谷がなだらかに連続する形状を持つ波形反射板ＲＦＰを設けて構成した直下型照明装置を有している。液晶パネルＰＮＬと直下型照明装置の間には拡散板ＳＣＴが介挿されている。
【０１１６】
液晶パネルＰＮＬと拡散板ＳＣＴおよび直下型照明装置はモールドＭＣＡで保持され、上フレームＳＨＤと共に一体化されている。
【０１１７】
液晶モニターへの固定は、前記下フレームの前記波形の反射板ＲＥＦの山に対応する部分に設けたネジ穴ＮＡＴに液晶モニターのケースＣＡＳ側からネジＳＣＲをねじ込んで行う。
【０１１８】
このように、本実施例は、波形の反射板ＲＥＦの山に対応する部分のスペースにネジ穴ＮＡＴを位置させるため、実装のために液晶モジュールの厚みを厚くする必要がない。また、図１４の実施例と同様に液晶モジュールの狭額縁化を妨げる取付け構造を当該モジュールの外周縁に設ける必要がないため、液晶モニターの外形寸法が拡大されることがなく、かつ液晶モジュール自体の狭額縁化を達成することが容易であることから、視覚的にも大画面サイズ化を実現することができる。
【０１１９】
本実施例のネジ穴ＮＡＴはモールドＭＣＡに直接形成したが、これに替えて前記した図１０〜図１３と同様にインサータを予めモールドに埋設しておくこともできる。
【０１２０】
以上説明した本発明の各実施例により、液晶モジュールの狭額縁化と液晶モニター等の筐体の外形寸法の縮小化を達成できる。
【０１２１】
次に、本発明を適用する液晶パネルの回路構成およびその駆動方式の一例を図１７〜図２１を参照して説明する。
【０１２２】
図１７は液晶モジュールを構成する液晶パネルとその駆動回路部分の等価回路の説明図である。この液晶パネルは薄膜トランジスタ型（ＴＦＴ−ＬＣＤ）であり、各単位画素を構成する薄膜トランジスタＴＦＴは、隣接する２本のドレイン信号線ＤＬと、隣接する２本のゲート信号線ＧＬとの交差領域に各２個配置される。本実施例では、薄膜トランジスタをこの交差領域に２個ずつ配置したが、その個数は２個に限定されず、少なくとも１個の薄膜トランジスタを当該交差領域毎に設けられれば充分である（液晶パネルの仕様に応じ、薄膜トランジスタの個数は適宜変えられる）。薄膜トランジスタＴＦＴのドレイン電極とゲート電極は、それぞれドレイン信号線ＤＬ（ＤｉＲ，ＤｉＧ，ＤｉＢ，・・・）とゲート信号線ＧＬ（Ｇ０，Ｇ１，・・・）に接続される。Ｒ，Ｇ，Ｂは赤、緑、青の各画素を構成する画素電極、ＧＴＭはゲート信号線の引き出し線、ＤＴＭはドレイン信号線の引き出し線、ＤＤＲはドレインドライバ、ＧＤＲはゲートドライバ、ＰＷＵは電源回路、ＣＲＬは表示制御装置である。
【０１２３】
薄膜トランジスタＴＦＴのソース電極は画素電極に接続され、画素電極とコモン電極（図示せず）との間に液晶層が設けられているので、薄膜トランジスタＴＦＴのソース電極との間には液晶容量（ＣLC：図示せず）が等価的に接続される。薄膜トランジスタＴＦＴはゲート電極に正のバイアス電圧を印加すると導通し、負のバイアス電圧を印加すると不導通となる。また、薄膜トランジスタＴＦＴのソース電極と前ラインのゲート信号線との間には、保持容量Ｃadd が接続される。
【０１２４】
なお、ソース電極、ドレイン電極は本来その間のバイアス極性によって決まるもので、この液晶表示装置ではその極性は動作中反転するので、ソース電極、ドレイン電極は動作中入れ替わるものと理解されたい。
【０１２５】
図１８はゲートドライバとドレインドライバに対する表示データとクロック信号の流れを説明するための液晶パネルＰＮＬとその外周部に配置される駆動回路等の回路構成を説明するブロック図である。
【０１２６】
図中、薄膜トランジスタＴＦＴ型の液晶パネルＰＮＬの下側にのみドレインドライバＤＤＲが配置され、その側面部にはゲートドライバＧＤＲ、表示制御装置ＣＲＬ、電源回路ＰＷＵが配置される。
【０１２７】
ドレインドライバＤＤＲは、多層フレキシブル基板を液晶パネルＰＮＬの裏面に折り曲げて実装する。表示制御装置ＣＲＬ、電源回路ＰＷＵを実装したインターフェイス基板（図示せず）は液晶パネルＰＮＬの短辺の外周部に配置されたゲートドライバＧＤＲの裏面に配置される。これは、情報処理装置の横幅を可能な限り縮小させる必要があるためである。
【０１２８】
ドレインドライバＤＤＲの前段のキャリー出力は、そのまま次段のドレインドライバＤＤＲのキャリー入力に与えられる。
【０１２９】
図１９はコモン電圧とドレイン電圧およびゲート電圧のレベルとその波形図であり、ドレイン波形は黒表示のときの波形を示す。ゲートオンレベル波形（直流）とゲートオフレベル波形は、例えば−９Ｖ〜−１４Ｖの間で変化し、１０Ｖでゲートオンする。
【０１３０】
ドレイン波形（黒表示時）とコモン電極に印加されるコモン電圧Ｖcom 波形は、約０Ｖ〜３Ｖの間でレベル変化する。例えば、黒レベルのドレイン波形を１水平期間（１Ｈ）毎に変化させるために論理処理回路で１ビットずつ論理反転を行い、ドレインドライバに入力している。ゲートのオフレベル波形はコモン電圧Ｖcom と略同様の振幅と位相で動作する。
【０１３１】
図２０は液晶パネルの各ドライバの概略構成と信号の流れを示すブロック図である。バッファ回路２１０は表示制御装置２０１（図１８のＣＲＬ）に設けられ、ドレインドライバ２１１は図１８のドレインドライバＤＤＲに、ゲートドライバ２０６はゲートドライバＧＤＲに相当する。
【０１３２】
ドレインドライバ２１１は表示データのデータラッチ部と出力電圧発生回路とから構成される。また、階調基準電圧生成部２０８、マルチプレクサ２０９、コモン電圧生成部２０２、コモンドライバ２０３、レベルシフト回路２０７、ゲートオン電圧生成部２０４、ゲートオフ電圧生成部２０５、およびＤＣ−ＤＣコンバータ２１２は図３２の図１８の電源回路ＰＷＵに設けられる。
【０１３３】
図２１は情報処理装置の本体コンピュータ（ホスト）から表示制御装置に入力される表示データおよび表示制御装置からドレインドライバとゲートドライバに出力される信号を示すタイミング図である。
【０１３４】
図１８に示した表示制御装置ＣＲＬは本体（本体コンピュータ）からの制御信号（クロック信号、表示タイミング信号、同期信号）を受けて、ドレインドライバＤＤＲへの制御信号としてクロックＤ１（ＣＬ１）、シフトクロックＤ２（ＣＬ２）および表示データを生成し、同時にゲートドライバＧＤＲへの制御信号として、フレーム開始指示信号ＦＬＭ、クロックＧ（ＣＬ３）および表示データを生成する。
【０１３５】
なお、本体からの表示信号の伝送に低電圧差動信号（ＬＶＤＳ信号）を用いる方式では、本体コンピュータからのＬＶＤＳ信号をインターフェイス基板ＰＣＢに搭載したＬＶＤＳ受信回路で元の信号に変換してからゲート駆動ＩＣおよびドレイン駆動ＩＣに供給する。
【０１３６】
図２２は本発明による液晶モジュールを実装したノート型パソコンの斜視図である。このノート型パソコンは、その表示部に前記実施例のうちのサイドエッジ型証明装置を用いている。液晶モジュールＭＤＬの表示部への取り付けをネジＳＣＲを用いて表示部の側面より液晶モジュールＭＤＬの上フレームに設けた凹部の底部に形成したネジ受け開口ＡＬＣをとおして図示しないモールドのネジ穴にねじ込んで固定してある。
【０１３７】
情報処理装置の本体からの信号は、先ず、左側のインターフェイス基板Ｉ／Ｆのほぼ中央に位置するコネクタ（インターフェイスコネクタ）から表示制御集積回路素子（ＴＣＯＮ、図１８参照）へ行き、ここでデータ変換された表示データがドレインドライバ用周辺回路へ流れるようになっている。なお、ＩＶは照明装置の電源で、給電ケーブルＬＰＣで照明装置の線状ランプに給電する。
【０１３８】
図２３は本発明による液晶モジュールを実装した液晶モニターの一例を示す外観図である。この液晶モニターの画面すなわち表示部に実装する液晶モジュールを構成するバックライトは前記図１４〜図１５または図１６で説明した背面側からねじ止めするものを用いている。そのため、表示部の狭額縁化の実現と液晶モニターの外形寸法の拡大の抑制が達成される。
【０１３９】
なお、本発明による液晶表示装置は、上記のようなノート型パソコンや液晶モニターに限るものではなく、ディスクトップパソコンのモニターや液晶テレビ受像機、その他の機器の表示デバイスにも使用できる。
【０１４０】
このように、本発明の取り付け構造を使用することで、情報処理装置の表示部の幅外形の制約が解消でき、小型で低消費電力の情報処理装置を提供できる。
【０１４１】
液晶モジュールを固定する為のスペースを小さくできるので、表示部の表示に寄与しない領域（額縁領域）を小さくすることが可能となる。また、液晶表示モジュールＭＤＬの表示領域ＡＲを大きくすることができる。
【０１４２】
以上、本発明を実施例に基づいて具体的に説明したが、本発明は、上記の実施例に限定されるものではなく、その要旨を逸脱しない範囲で種々の変更が可能であることは言うまでもない。例えば、上記の実施例はアクティブマトリクス方式の液晶表示装置に本発明を適用したものとして説明したが、単純マトリクス方式、その他の方式の液晶表示装置にも同様に適用できる。
【０１４３】
【発明の効果】
以上説明したように、本発明によれば、液晶モジュールをノート型パソコンや液晶モニター等の実装機器の表示部に取付けるための構造が当該液晶モニターの額縁の大きさを大きく制約することなく充分な強度で実装することができ、液晶モジュールの狭額縁化と液晶モニター等の筐体の外形寸法の縮小化を達成して、省スペース化に優れ、視覚的な画面拡大を可能とした液晶モジュールとこの液晶モジュールを搭載した液晶モニターを提供することができる。
【図面の簡単な説明】
【図１】本発明による液晶モジュールの第１実施例の説明図である。
【図２】本発明による液晶モジュールの第２実施例の説明図である。
【図３】本発明による液晶モジュールの第３実施例の説明図である。
【図４】本発明による液晶モジュールの第４実施例の説明図である。
【図５】本発明による液晶モジュールの第５実施例の説明図である。
【図６】図５に示した実施例の液晶モジュールを構成する液晶パネルとその駆動回路を実装したプリント基板部分の構成例を説明する模式平面図である。
【図７】本発明による４つのコーナー部に取付け用の凹部を形成した液晶モジュールを液晶モニターに組み込んだ状態を示す正面図およびモジュール受け部材の要部斜視図である。
【図８】本発明による一方の辺で隣接する２つのコーナー部とこの辺と対向する辺の隣接するコーナー部の間に取付け用の凹部を設けた液晶モジュールを液晶モニターに組み込んだ状態を示す正面図である。
【図９】図８に示した液晶モニターの表示部の構造を説明する模式断面図である。
【図１０】本発明による液晶モジュールに備える実装機器との固定用のネジ穴の第１例を説明する要部断面図である。
【図１１】本発明による液晶モジュールに備える実装機器との固定用のネジ穴の第２例を説明する要部断面図である。
【図１２】本発明による液晶モジュールに備える実装機器との固定用のネジ穴の第３例を説明する要部断面図である。
【図１３】本発明による液晶モジュールに備える実装機器との固定用のネジ穴の第４例を説明する要部断面図である。
【図１４】本発明による液晶モジュールの第６実施例を説明する要部断面図である。
【図１５】図１２に示した液晶モジュールの裏面の構成例を説明する模式平面図である。
【図１６】本発明による液晶モジュールの第７実施例を説明する要部断面図である。
【図１７】液晶モジュールを構成する液晶パネルとその駆動回路部分の等価回路の説明図である。
【図１８】ゲートドライバとドレインドライバに対する表示データとクロック信号の流れを説明するための液晶パネルＰＮＬとその外周部に配置される駆動回路等の回路構成を説明するブロック図である。
【図１９】コモン電圧とドレイン電圧およびゲート電圧のレベルとその波形図である。
【図２０】液晶パネルの各ドライバの概略構成と信号の流れを示すブロック図である。
【図２１】情報処理装置の本体コンピュータ（ホスト）から表示制御装置に入力される表示データおよび表示制御装置からドレインドライバとゲートドライバに出力される信号を示すタイミング図である。
【図２２】本発明による液晶モジュールを実装したノート型パソコンの斜視図である。
【図２３】本発明による液晶モジュールを実装した液晶モニターの正面図である。
【図２４】従来の液晶モニター等における液晶モジュールの固定手段の概略説明図である。
【符号の説明】
ＰＮＬ・・・・液晶パネル、ＧＬＢ・・・・導光板、ＳＨＤ・・・・上フレーム、ＭＣＡ・・・・下フレーム、ＭＤＬ・・・・液晶モジュール、ＡＬＣ・・・・凹部、ＨＬＤ・・・・ネジ受け開口、ＣＡＳ・・・・表示部ケース、ＢＯＳ・・・・ボス、ＳＣＲ・・・・ネジ、ＮＡＴ・・・・ネジ穴。
【図１】
0003847532.tif 000002
【図２】
0003847532.tif 000003
【図３】
0003847532.tif 000004
【図４】
0003847532.tif 000005
【図５】
0003847532.tif 000006
【図６】
0003847532.tif 000007
【図７】
0003847532.tif 000008
【図８】
0003847532.tif 000009
【図９】
0003847532.tif 000010
【図１０】
0003847532.tif 000011
【図１１】
0003847532.tif 000012
【図１２】
0003847532.tif 000013
【図１３】
0003847532.tif 000014
【図１４】
0003847532.tif 000015
【図１５】
0003847532.tif 000016
【図１６】
0003847532.tif 000017
【図１７】
0003847532.tif 000018
【図１８】
0003847532.tif 000019
【図１９】
0003847532.tif 000020
【図２０】
0003847532.tif 000021
【図２１】
0003847532.tif 000022
【図２２】
0003847532.tif 000023
【図２３】
0003847532.tif 000024
【図２４】
0003847532.tif 000025